(57)【特許請求の範囲】
【請求項１】
ブレーカの器体内部の負荷端子近傍の電圧極の第一の主導体Ｌ１および第二の主導体Ｌ２に各々第一および第二の電流検出用変流器を極性を一致させて貫通させるとともに、前記電流検出用変流器の２次巻線のうち、第二の電流検出用変流器の２次巻線の巻終わり線と第一の電流検出用変流器の２次巻線の巻初め線が直列になるように前記器体の内部で接続し、前記第一の電流検出用変流器の２次巻線の巻初め線と、前記器体の内部で接続された第二の電流検出用変流器の２次巻線の巻終わり線と第一の電流検出用変流器の２次巻線の巻初め線と、前記第二の電流検出用変流器の２次巻線の巻初め線とを、各々異なった線色として、これら３本の２次巻線を前記器体外に引き出して構成したことを特徴とするブレーカ。
【請求項２】
請求項１記載のブレーカの器体外に引き出した３本の２次巻線にコネクタを接続し、該ブレーカを主幹ブレーカとして組み込んだことを特徴とする分電盤。
【発明の詳細な説明】
【０００１】
【産業上の利用分野】
本発明は、過電流になったとき重要度に応じて分岐負荷回路を遮断し、軽負荷に戻ったとき遮断回路を復帰・制御する機能（ピークカットコントローラ）を内蔵した分電盤や、通電電流表示付分電盤などに使用されるブレーカに関する。
【０００２】
【従来の技術】
前記分野における従来の方法としては、ブレーカの電源側または負荷側に接続される電線に電流検出用変流器を貫通させて使用（ブレーカの外付）されるのが一般的であった。
また、従来の分電盤は、主幹ブレーカの負荷側端子から分岐ブレーカの端子への接続に一部電線が使用されていたので、電流検出用変流器は当該電線に貫通させて使用することができた。
【０００３】
【発明が解決しようとする課題】
しかし、最近の分電盤は、主幹ブレーカの負荷側端子から分岐ブレーカの端子への接続は銅ブスバーが使用されており、電流検出用変流器を貫通させることができない。
そこで、主幹ブレーカの電源側端子へ接続される電線へ電流検出用変流器を貫通させることになるが、当該電線の端子への接続は電気工事業者の作業となるので、極性の間違いや未挿入などの危険性があった。
【０００４】
【発明の目的】
そこで本発明は、電流検出用変流器を極性の間違いや未挿入など誤使用されることがなく、確実に分岐ブレーカの電源側に挿入される手段を提供することを目的とした。
【０００５】
【課題を解決するための手段】
目的を達成するための手段は、分電盤の主幹ブレーカとして使用される配線用遮断器や漏電遮断器の器体内部の負荷端子近傍の電圧極の第一の主導体Ｌ１および第二の主導体Ｌ２に各々第一および第二の電流検出用変流器を極性を一致させて貫通させるとともに、前記電流検出用変流器の２次巻線のうち、第二の電流検出用変流器の２次巻線の巻終わり線と第一の電流検出用変流器の２次巻線の巻初め線が直列になるように前記器体の内部で接続し、前記第一の電流検出用変流器の２次巻線の巻初め線と、前記器体の内部で接続された第二の電流検出用変流器の２次巻線の巻終わり線と第一の電流検出用変流器の２次巻線の巻初め線と、前記第二の電流検出用変流器の２次巻線の巻初め線とを、各々異なった線色として、これら３本の２次巻線を前記器体外に引き出して構成したものである。
なお、上記のブレーカを主幹ブレーカとし、ピークカットコントローラ内蔵のブレーカを分岐ブレーカとし、前記ブレーカの器体外に引き出して構成した３本の２次巻線にコネクタを接続し、電前記ピークカットコントローラの入力線をコネクタで接続して分電盤に組み込むことにより、ピークカットコントローラ内蔵分電盤を得ることができる。また、上記のブレーカを主幹ブレーカとし、電流表示装置と組み合わせることによって通電電流表示付分電盤を得ることができる。
【０００６】
【実施例の説明】
以下に、ブレーカが単相３線用３極２素子の漏電遮断器である場合において、本発明を実施した例について、図１を用いて説明する。
なお、図２および図３については、図１と同様であるので説明を省略する。
【０００７】
１は、合成樹脂等によって成形された基台およびカバーからなる漏電遮断器の器体である。
２は、電源側端子で、図の上からそれぞれＬ2 ，Ｎ，Ｌ1 の電線が外部の電源から接続される。
３は、開閉機構部である。
４は、電磁方式あるいはバイメタル方式等による過電流引き外し素子である。５は、漏電検出・制御部で、零相変流器６によって漏電を検知し、漏電引き外し装置７を駆動し、前記開閉機構部を作動させて回路を遮断する。
８は、負荷側端子で、図の上からそれぞれＬ2 ，Ｎ，Ｌ1 の電線が負荷機器に接続される。
９および１０は、電流検出用変流器で、それぞれ負荷端子８近傍の電圧極の主導体Ｌ2 およびＬ1 を極性を一致させて貫通している。
前記電流検出用変流器９および１０の２次巻線は、直列になるように前記電流検出用変流器１０の２次巻線の巻終わり線と前記電流検出用変流器９の２次巻線の巻初め線を前記器体１の内部で接続し、前記接続線１２と前記電流検出用変流器１０の２次巻線の巻初め線１３と前記電流検出用変流器９の２次巻線の巻終わり線１１との３本の口出し線をそれぞれ色別（異なった線色とする）し、前記器体の外部に引き出して３Ｐのコネクタ１４に接続している。
【０００８】
次に、本発明のブレーカをピークカットコントローラ内蔵分電盤に実施した例について、図４を用いて説明する。
【０００９】
２１は、合成樹脂等によって成形された分電盤のケースである。
２２は、主幹ブレーカで、図では単相３線用漏電遮断器としている。
２３は、分岐ブレーカで、複数個使用される。
２４は、前記主幹ブレーカ２２のＬ1 −Ｎの負荷側に取り付けられ、ピークカットコントローラを内蔵した分岐ブレーカである。
２５は、前記主幹ブレーカ２２のＮ−Ｌ2 の負荷側に取り付けられ、ピークカットコントローラを内蔵した分岐ブレーカである。
１１は、前述の電流検出用変流器９の巻終わり線。
１２は、前述の電流検出用変流器１０の巻終わり線と電流検出用変流器９の巻初め線を接続した引き出し線。
１３は、前述の電流検出用変流器１０の２次巻線の巻初め線。
１４は、前述の３Ｐのコネクタ。
前記１１と１２は、前記コネクタ１４を介して前記２４に接続されている。
前記１２と１３は、前記コネクタ１４を介して前記２５に接続されている。
【００１０】
【実施例における作用】
本発明のブレーカをピークカットコントローラ内蔵分電盤に組み込み実施した例の作用について、図１および図４を用いて説明する。
【００１１】
図４に示す主幹ブレーカ２２のＬ1 ーＮ側の負荷電流は、図１に示す電流検出用変流器９によって検出され、ピークカットコントローラを内蔵した分岐ブレーカ２４に常時入力されている。
上記において、負荷電流があらかじめ設定された電流値を超えたとき、ピークカットコントローラを内蔵した分岐ブレーカ２４の内部のリレーが開動作して、前記ブレーカ２４の負荷回路が遮断されてＬ1 ーＮの負荷電流が設定値以下におさまり、最小限の被害で全停電を防止することができる。
また、負荷電流が例えば設定値の７０％以下になると、今度は前記リレーが閉動作して、前記ブレーカ２４の負荷回路が投入される。
以上の作用は、主幹ブレーカ２２のＮ−Ｌ2 側についても同じである。
【００１２】
【効果】
本発明のブレーカを主幹ブレーカとして組み込んだピークカットコントローラ内蔵分電盤や通電電流表示付分電盤は、電流検出用変流器の極性間違いや未挿入などの危険性がなく、付加機能が正常に働く。
また、既存の分電盤にもブレーカを取り替えるだけで容易に付加機能を追加できる利点もある。
【図面の簡単な説明】
【図１】本発明を、単相３線用３極２素子の漏電遮断器において実施した例の説明図。
【図２】本発明を、単相２線用２極１素子の漏電遮断器において実施した例の説明図。
【図３】本発明を、三相３線用３極３素子の漏電遮断器において実施した例の説明図。
【図４】本発明による単相３線用３極２素子の漏電遮断器を、ピークカットコントローラ内蔵分電盤に組み込んで実施した例の説明図。
【図５】従来の単相３線用３極２素子の漏電遮断器を、ピークカットコントローラ内蔵分電盤に組み込んで実施した例の説明図。
【符号の説明】
１    漏電遮断器の器体
２    電源側端子
３    開閉機構部
４    過電流引き外し素子
５    漏電検出・制御部
６    零相変流器
７    漏電引き外し装置
８    負荷側端子
９    電流検出用変流器
１０    電流検出用変流器
１１    電流検出用変流器９の２次巻線の巻終わり線
１２    電流検出用変流器１０の２次巻線の巻終わり線と電流検出用変流器９の２次巻線の巻初め線の接続線
１３    電流検出用変流器１０の２次巻線の巻初め線
１４    ３Ｐのコネクタ
２１    分電盤のケース
２２    主幹ブレーカ
２３    分岐ブレーカ
２４    ピークカットコントローラを内蔵した分岐ブレーカ
２５    ピークカットコントローラを内蔵した分岐ブレーカ
【図１】
0004111354.tif 000002
【図２】
0004111354.tif 000003
【図３】
0004111354.tif 000004
【図４】
0004111354.tif 000005
【図５】
0004111354.tif 000006